(57)【要約】薬剤のための包装であって、包装は、スリーブとスライドとを備える。スライドは、薬剤を収容するための薬剤領域を有する。スリーブは、内部容積を形成するように側壁によって接続されるとともに離隔された、対向する第１及び第２主面を有する。側壁は、さらにスライド開口を形成する。スライドは、薬剤領域が内部容積内に実質的に存在する位置と、薬剤領域の少なくとも一部がスライド開口を介して内部容積外に延在する位置との間で、スライド軸に平行な方向に移動可能である。スリーブはショルダ部を含み、包装は付勢手段を含むことを特徴とする。スリーブ及びスライドは、固定位置と非固定位置との間でスライドが内部容積の中で移動可能なように設けられる。固定位置では、スライドの一部とショルダ部との間で接触することによってスライドがスライド軸に平行な方向に実質的に移動できない。非固定位置では、スライドの一部が、スライド開口を介してスライド軸に平行な方向に移動可能である。付勢手段は、固定位置へ向けてスライドを弾性的に付勢する。発明は、そのような薬剤包装のためのスリーブを組み立てるためのブランクへと拡張し、また、そのような薬剤包装に使用するためのスライド又はスリーブに拡張する。
2010512881.tif 000002
【特許請求の範囲】
【請求項１】
薬剤のための包装であって、
前記包装は、スリーブとスライドとを備え、
前記スライドは、薬剤を収容するための薬剤領域を有し、
前記スリーブは、内部容積を形成する側壁によって接続されるとともに離隔した、対向する第１及び第２主面を有し、
前記側壁は、さらに、スライド開口を形成し、
前記スライドは、前記薬剤領域が実質的に前記内部容積内に存在する位置と、前記薬剤領域の少なくとも一部が前記スライド開口を介して前記内部容積外に延在する位置との間でスライド軸に平行な方向に移動するものであり、
前記スリーブは、ショルダ部を含み、
前記包装は、付勢手段を含み、
前記スリーブ及びスライドは、前記スライドの一部と前記ショルダ部とが接触することによって前記スライドがスライド軸に平行な方向に実質的に移動することが妨げられる固定位置と、前記スライド開口を通って前記スライド部分が前記スライド軸に平行な方向に移動できる非固定位置との間で、前記内部容積内を移動できるように設けられ、
前記付勢手段は、前記スライドを前記固定位置へ向けて弾性的に付勢する
ことを特徴とする包装。
【請求項２】
前記付勢手段は、前記スリーブと同じ材料を用いて製造される
ことを特徴とする請求項１に記載の包装。
【請求項３】
前記スライドは、複数の個別的で破壊可能な薬剤収容ブリスターを含む
ことを特徴とする請求項１又は請求項２に記載の包装。
【請求項４】
前記付勢手段は、前記スライド軸に実質的に直角な方向に前記スライドを付勢する
ことを特徴とする請求項１から請求項３のいずれか１項に記載の包装。
【請求項５】
前記スリーブは、ユーザが直接的に前記スライドに接触することができ、かつ、前記スライドを前記固定位置から前記非固定位置へ移動させる力を加えることができるように、少なくとも１つの切り欠きを含む
ことを特徴とする請求項１から請求項４のいずれか１項に記載の包装。
【請求項６】
前記スリーブは、少なくとも２つの切り欠きを含む
ことを特徴とする請求項５に記載の包装。
【請求項７】
前記スライドは、前記スライドが前記スリーブから分離することを実質的に防ぐために、前記スリーブと協働するアンカを含む
ことを特徴とする請求項１から請求項６のいずれか１項に記載の包装。
【請求項８】
前記スライドは、前記スライドを容易に把持できるように、先端部から延びるエクステンション部を含む
ことを特徴とする請求項１から請求項７のいずれか１項に記載の包装。
【請求項９】
前記スリーブは、実質的に厚紙を用いて製造される
ことを特徴とする請求項１から請求項８のいずれか１項に記載の包装。
【請求項１０】
薬剤の包装に使用するためのスリーブに折り畳むための厚紙であって、
前記包装は実質的に請求項１に記載のものであることを特徴とする厚紙。
【請求項１１】
薬剤包装を開放するための方法であって、
前記薬剤包装は、スリーブとスライドとを備え、
前記スライドは、前記スリーブ内に適合して、スライド開口を介して前記スリーブから取り出すことができ、
前記スリーブ及びスライドは、前記スライドが固定位置と非固定位置との間で前記スリーブ内を移動可能であるように設けられ、前記スライドは前記固定位置の方向へ付勢されており、
前記方法は、
ａ．ユーザが一方の手を用いて、非固定位置へスライドを移動させるためにスライドに力を加えて、スライドを非固定位置に保持するステップと、
ｂ．ユーザが他方の手を用いて、スライド開口を介してスライドの少なくとも一部を移動させて、取り出す力をスライドに加えるステップとを含む
ことを特徴とする方法。
【発明の詳細な説明】
【技術分野】
【０００１】
本発明は、薬剤のための包装に関し、特に、強化された子供向けの安全性を提供する薬剤のための包装に関する。
【背景技術】
【０００２】
薬剤は多種の包装がなされて供給されることが知られている。包装の一般的な形態は、内部の薬剤を取り出すために破壊すること又は取り除くことができる素材によって密閉された複数の収容部に薬剤を収納する１つ以上のシートを含む箱である。シートは一般的にはプラスチックシートである。プラスチックシートはプラスチック・ラミネートであってもよく、それは薬剤が分配又は配置されるブリスター（ｂｌｉｓｔｅｒｓ）を含むように形成される。ブリスターは、フィルムによって実質的に密閉されており、一般的にはフォイルラミネート（ｆｏｉｌ  ｌａｍｉｎａｔｅ）である。それは、薬剤を取り出すために、取り除かれ又は破壊される。そのような薬剤収容部は、「ブリスター」として知られており、またそれを含むシートは、「ブリスター・シート」として知られている。
【０００３】
薬剤の一部には誤用によって害を及ぼす危険があり、それらの取り出しは、特に子供がする場合、管理されなければならない。子供がそのような薬剤を取り出し難くするための小児用安全包装（ｃｈｉｌｄ  ｒｅｓｉｓｔａｎｔ  ｐａｃｋａｇｉｎｇ）が利用されている。しかしながら、小児用安全包装は製造に費用がかかることがあり、また、特に患者又は介護者が器用な動作をすることに困難を伴い又は障害を有する場合には、患者又は介護者が必要な薬剤を取り出すことを難しくすることがある。
【発明の概要】
【発明が解決しようとする課題】
【０００４】
本発明の課題は、上記の課題を解決することである。
【課題を解決するための手段】
【０００５】
本発明によると、薬剤のための包装が提供され、前記包装は、スリーブとスライドとを備え、スライドは薬剤を収容するための薬剤領域を有し、スリーブは内部容積を形成する側壁によって接続されるとともに離隔した、対向する第１及び第２主面を有する。前記側壁は、さらにスライド開口を形成し、前記スライドは、薬剤領域が実質的に内部容積内に存在する位置と、薬剤領域の少なくとも一部がスライド開口を介して内部容積外に延在する位置との間でスライド軸に平行な方向に移動可能である。スリーブはショルダ部を含み、包装は付勢手段を含むことを特徴とする。スリーブ及びスライドは、スライドが内部容積内を固定位置と非固定位置との間で移動できるように設けられる。固定位置では、スライドの一部とショルダ部とが接触することによって、スライドはスライド軸に平行な方向に実質的に移動することが妨げられる。非固定位置では、スライド部分が、スライド開口を介してスライド軸に平行な方向に移動することが可能である。付勢手段は、固定位置へ向けてスライドを弾性的に付勢する。
【０００６】
スリーブは、プラスチック材料のような任意の適切な材料から作られてもよく、また、例えばプラスチック材料、厚紙等を用いたラミネートによって必要に応じて強化された厚紙から形成されてもよい。本明細書において厚紙（ｃａｒｄｂｏａｒｄ）という用語は、カートン用板紙（ｃａｒｔｏｎｂｏａｒｄ）、板紙等のカード又は紙製の素材を含むと理解されるべきである。
【０００７】
スリーブの主面は、寸法が実質的に同一であってもよく、また形状が実質的に長方形であり、各々が２つの主側部と２つの副側部とを有してもよい。側壁は、複数の壁ユニットを備えてもよい。その複数の壁ユニットは、実質的に連続的な壁を形成するように結合してもよく、また他の壁ユニットに直接的に接続されなくてもよい。側壁は主面間に延在して、それらを接続する。また、側壁は、主面とともに、内部容積を形成する。主面が実質的に長方形である場合、スリーブが実質的に立方形の形状になるように、側壁は主面に対して実質的に直角に設けられる。
【０００８】
スライドは、実質的に長方形である。スリーブ及びスライドについては、スリーブ内に形成される内部容積内にスライドが全体的に実質的に適合するように、また、スライドが内部容積内にある場合に主面の１つに実質的に平行になるように、設けられてよい。
【０００９】
薬剤領域は、好ましくは、スライドの少なくとも１面の実質的に中心領域を占める。薬剤領域は、当業者によく知られたように、薬剤を収容する複数のブリスターを含む。薬剤は、例えば錠剤、顆粒、カプセル又は液体のような、（これらは他の収容部に収容されるかもしれないが、）いかなる形態であってもよいことが理解されるべきである。スライドは、カードを用いて補強されたブリスター・シートを備える。カードは、ブリスター・シートの剛性が増すように、ブリスター間の実質的に平らな領域のブリスター・シートの一面又は両面に、又は凸状ブリスターの反対側に、配置される。カードは、ブリスターに結合し、カードはブリスターを密閉する脆弱な材料を実質的に覆う。ブリスターを密閉する脆弱な材料をカードが実質的に覆う場合、薬剤の取り出しを容易にするために、ブリスターの薬剤領域において、例えばカードにひっかき傷をつけ又はミシン目を付けることによって、カードは予め脆弱にされてもよい。薬剤領域のブリスターは、スライドの一方又は両側で、シートから突き出してもよい。
【００１０】
スライドの少なくとも一部がスライド開口を通過でき、それによって、薬剤領域が実質的に内部容積内に存在する位置（閉塞位置）と、薬剤領域の少なくとも一部がスライド開口を介して内部容積外に延在する位置（開放位置）との間で、ユーザがスライドを移動させることができる。
【００１１】
スライドは、固定端部と先導端部とを有し、スライドが閉塞位置から開放位置へ移動する場合に先導端部が最初にスライド開口を通過するようにスリーブ内に配置されてもよい。先導端部は、そこから延びるプルタブを有してもよい。スライドが非固定位置にある場合にプルタブは開口を介して延びるように配置され、それによって、ユーザはスライドを把持して移動させ易くなる。固定部は、スリーブとスライドとが完全に分離することを防ぐために、スリーブと協働するアンカを含む。アンカは、スリーブとスライドとが完全に分離することを防ぐために、係止部に係合するアンカの端部からの突起であってもよい。係止部は、ショルダ部によって形成されてもよい。
【００１２】
ショルダ部は、スリーブ内の任意の場所に設けられてよいが、好ましくは、製造を容易にするために、開口に又は開口の近傍に設けられる。一実施の形態において、スライド開口領域の側壁は、主面間の全体には延びない。すなわち、側壁は主面の一方の全長にわたって延びるわけではなく、そのため、側壁はショルダ部の少なくとも一部を形成することができる。
【００１３】
付勢手段は、例えば板バネ、つる巻きバネ、弾性により変形可能なプラスチック、又はゴム材料等の弾性的にスライドを付勢する適切な手段によって設けることができる。ある実施の形態において、付勢手段は、例えば厚紙又はカートン用板紙のようなスリーブと同じ材料を用いて製造される。付勢手段は、例えばスリーブを内部容積に変形させる材料からなる１つ以上の部分を湾曲させることによって、スリーブと一体的に形成できる。これによって、スリーブ部材の付勢部分が折り目だけでスリーブに接続するように、スリーブ部材の付勢部分を形成することができ、その結果、折り目に沿って折られた部分によって、付勢部分が内部容積内へ延びることができる。折られた部分は、９０°より小さい又は９０°より大きい角度で折られてよい。このようにして、折られた部分又は他の手段により、スライドに弾力のある付勢力を実現することができる。
【００１４】
付勢手段は、好ましくは、それらがショルダ部の一部又は全部を形成しない限り、開口を介したスライドの移動を実質的に妨げない。付勢手段は、スリーブ内に形成される。複数の付勢手段を備えてもよい。１つ以上の付勢手段は、主面の１つ又は側壁の面部分に、例えば実質的にその中心に配置されてもよく、又は主面の１つの端部近傍に配置されてもよい。一実施の形態において、付勢手段は、弾性により変形可能なプラスチック材料を用いて製造されてもよく、また、接着、粘着その他の方法によって、スリーブに取り付けられる。例えば付勢手段がスリーブの内表面に接着される。
【００１５】
スリーブ内において、付勢手段は、固定位置の方向へスライドを弾性的に付勢する。固定位置において、スライドが開口を通じて抜け出し、それによって薬剤領域の少なくとも一部が露出することが、ショルダ部によって妨げられる。固定位置において、スライドの移動は、ショルダ部と側壁と１つ以上の主面との組合せによって実質的に抑制され、その結果、付勢手段を変形させない限り、スライド開口を介したスライドの移動が実質的に防止できる。固定位置から、スライドはスリーブ内の異なる位置へ移動することだけができる。
【００１６】
スライドをスリーブから引き抜くために、ユーザは、非固定位置に移動するように、スライドに力を加える必要がある。非固定位置とは、付勢手段が変形して、スライドがショルダ部から、スライド部分がスライド開口を介して移動できる位置である。このことは、スライド等に直接的に接触することによりなされる。ユーザが、スライド又はスライドに取り付けられた部分を把持して、そしてそれに力を加えて、スライド開口を介してスライド軸に平行な方向にスライドを移動させることができるように、非固定位置において、スライドの先端部は、スライド開口に又はその近傍に配置される。付勢は、好ましくは、スライド軸の方向に対して実質的に直角な方向である。スライドが固定位置と非固定位置との間で移動する場合、スライドがスリーブ内を種々の姿勢で通過することが理解されるべきである。好ましくは、非固定位置に実質的に到達して、スライドの少なくとも一部を引き抜くことができるまで、スライドはスリーブ内でのみ移動するように拘束される。
【００１７】
固定位置から非固定位置までスライドを移動させるために必要なスライドの変位は、実質的に直線的であるが、回転又は回転と直線移動との組合せであってもよい。スリーブ内における固定位置と非固定位置との間の実質的な直線移動は、スリーブからスライドを引き抜くために必要な実質的に直線的なスライド移動に対して実質的に直角であってもよい。
【００１８】
固定位置と非固定位置との間でスライドを移動させるために、付勢手段の付勢力より大きい力をスライドに加える必要がある。力は、スライドに接触するユーザによって、又は機構その他の手段を用いて、スライドに直接的に加えられる。
【００１９】
スリーブにはボタンが供えられてもよい。ユーザによって押下されると、レバー、レバーの組合せその他変換部のような機構が接触して、スライドに力を加える。スリーブは、ユーザによって変形させられる弾性的に変形可能な接触領域を含んでもよく、それによって、接触領域がスライドと接触して力を加える。
【００２０】
少なくとも１つの切り欠き又は開口がスリーブを通して備えられ、それによって、ユーザは直接的にスライドに接触し、スライドに力を加えることができる。一実施の形態において、２つの切り欠き又は開口がスリーブを通して備えられ、それによって、ユーザは直接的にスライドに接触し、スライドに力を加えることができる。２つの切り欠き又は開口が備えられる場合、非固定位置にスライドを移動させるために、ユーザは各切り欠き又は開口位置で実質的に等しく変位させる必要がある。切り欠き又は開口は、離隔していてもよく、それによって、子供が両方の位置のスライドに片手で力を加えることは困難又は実質的に不可能になるが、大人であれば、片手を自由にしたままで、そのような操作を行うことができ、そのため、スライドを把持し、あるいは取り出すための力をスライドに加えることができる。上述のように、変形可能な膜が、切り欠き部分を実質的に覆いかつ／又は密閉する。ユーザがスライドに力を加えるために膜を変形させることができるように、膜は設けられる。膜は単一膜であってもよく、又は複数の部分から形成されてもよい。膜は、例えば弾性膜であってもよく、スリーブと同一の材料から製造された膜であってもよい。膜はスリーブと一体的に形成されてもよい。
【００２１】
本発明は、スリーブ及び／又はスライドを製造するために使用される厚紙（ｃａｒｄｂｏａｒｄ  ｂｌａｎｋｓ）にも関する。
【００２２】
本発明は、さらに、薬剤包装を開放する方法に関し、薬剤包装は、スリーブとスライドとを備え、スライドは、スリーブ内に適合し、スライド開口を介してスリーブから取り出すことができる。スリーブとスライドとは、スライドがスリーブ内で固定位置と非固定位置との間を移動できるように、設けられる。スライドは、固定位置の方向へ付勢される。方法は、
ａ．ユーザが一方の手を用いて、非固定位置へスライドを移動させるためにスライドに力を加え、スライドを非固定位置に保持するステップと、
ｂ．ユーザが他方の手を用いて、スライド開口を介してスライドの少なくとも一部を移動させるために取り出す力をスライドに加えるステップとを含む。
【００２３】
本明細書を通じて、また添付の特許請求の範囲において、他の意味の文脈で用いない限り、「含む、備える」という用語は、定数又はステップ、整数又はステップのグループを包含し、他の可能な整数を排除しないことを意味する。
【００２４】
本発明について、添付の図面を参照しながら一例によって更に詳細に説明する。
【図面の簡単な説明】
【００２５】
【図１】図１は、薬剤包装のスリーブの外観図を示す。
【図２】図２は、図１のスリーブの使用に適した薬剤包装のスライドの外観図を示す。
【図３】図３は、図１のスリーブと図２のスライドとを使用する薬剤包装を通じた断面図を示す。
【図４】図４は、図３の薬剤包装を通じた断面図を示すが、図３に使用される線に対して直角な線に沿ったものである。
【図５】図５は、第２の薬剤包装のスリーブの概観図を示す。
【図６】図６は、図３のスリーブの使用に適した薬剤包装のスライドの概観図である。
【発明を実施するための形態】
【００２６】
図１は、側壁６に接続するとともに離隔した第１及び第２主面を備えるスリーブ１を示す。主面２，４は、実質的に長方形であり、各々が主端部８と副端部１０とを有する。側壁６は、主面２，４の端部８，１０の実質的に全周にわたって延在し、それによって、内部容積（ｉｎｔｅｒｎａｌ  ｖｏｌｕｍｅ）１２を形成する。スリーブ１は、側壁６を通るスライド開口１４と、主面２を通る２つの切り欠き１６，１８とを含み、それによって、内部容積１２にアクセスできる。各切り欠き１６，１８は、スリーブ１内のスライド３０（図２参照）に力を加えるために、大人のユーザが指を通すことができる形状である。スリーブ１のスライド開口１４は、第１ショルダ部２０と２つの側方ショルダ部２２とによって形成される。
【００２７】
切り欠きは離隔しており、そのため、両切り欠きを介して同時にスライドに力を加えるように、子供が片手で使用することはできない（従って、子供の場合、スライドを非固定位置に移動させるために、両手を使用しなければならず、子供がスライド開口を介してスライドを移動させることを防ぐことができる。）。切り欠き１６，１８は、図示するように、主端部８に対して直角な線に沿って離隔するように設けられる。切り欠き１６，１８は、主端部８と平行な線に沿って離隔して設けられてもよく、端部と無関係に配置されてもよい。さらに、追加の切り欠き（図示せず）が、他の切り欠きから同様に離隔して設けられてもよく、それによって、子供がスライドを非固定位置に片手で容易に移動させることを防ぐことができる。追加の切り欠きは、スライドに直接的に接触できないような、又は切り欠きを用いてスライドを非固定位置に移動させることができないような、形状をした又はそのように位置付けられた、おとりの（ｄｅｃｏｙ）又はダミーの切り欠きであってもよい。
【００２８】
スリーブ１はさらに付勢手段を含み、本形態の場合、内部容積１２内の弾性フラップ２４である。フラップ２４の機能について、図３を参照して、詳細に説明する。
【００２９】
図２は、図１のスリーブの使用に適するスライド３０を示す。スライド３０は、先端部３２と、固定部３４と、薬剤領域３６とを備える。先端部３２は、スライド３０を容易に把持できるように、そこから延びるプルタブ３８を含む。固定部３４は、スリーブ１の２つの側方ショルダ部２２と協働することによって、スライドがスリーブから分離することを防ぐ側方延在部４０を含む。
【００３０】
スライド３０の薬剤領域３６は、複数の個別の薬剤収容部４２を含み、各々が、錠剤又はカプセル形態の予め定めた量の薬剤を収容する。収容部４２は、シートのブリスターとして形成され、後に詳述するように当業者によく知られた破壊しやすい材料を用いて密閉される。本形態では、ブリスターは、図示するように第１主面２の方へ突き出すが、併せて／代わりに、それらは、第２主面４へ向かう他の方向を向いてもよい。
【００３１】
図３は、図１のスリーブ１を図２のスライド３０と組み合わせる包装を通じた断面図を示す。
【００３２】
図３は、スリーブ１内であって、包装の静止位置（ｒｅｓｔ  ｐｏｓｉｔｉｏｎ）である固定位置にスライド３０を有する包装を示す。固定位置において、フラップ２４は、この場合第１主面２の方向へ、スライドを弾性的に付勢する。スライドは、スライド開口１４が第２主面４の近傍にあり、ショルダ部２０が第１主面２近傍にある場合に、この方向に付勢される。固定位置において、ショルダ部２０は、スライド軸４６と平行な方向のスライド３０の移動を実質的に制限し、そのため、スライド３０の薬剤領域３６を包装から取り外すことができない。包装のフラップ２４は、主面２の主端部８から内部容積１２の中へ延び、第１主面２の方へ付勢される。スライド３０は、対向するフラップ２４の間に設けられ、そのため、第１主面２の方へ付勢される。
【００３３】
使用時に、ユーザは例えばテーブルの上のような面上に包装を置き、一方の手の指を切り欠きに通すことによって、スライド３０に接触する。そして、ユーザは、フラップ２４の付勢力より大きい力をスライド３０に加え、それによって、スライド３０は、スライド軸４６に実質的に垂直な方向である第２主面４の方向に移動する。スライド３０が第２主面４の方へ移動する時、プルタブ３８は、スライド開口１４を介して延びており、そのため、ユーザはスライド３０を容易に把持することができる。スライドが変位できるだけの力をユーザがスライド３０に加えて、その結果、先端部３２がショルダ部２０ではなく、スライド開口１４の近傍（非固定位置）に位置すると、ユーザは、プルタブ３８を引いてスライド開口１４を介してスリーブ１からスライド３０を引き抜くことができ、それによって、薬剤領域３６を露出させる。
【００３４】
スリーブ１の２つの側方ショルダ部２２にスライド３０の側方延在部４０が係合することによって、スライド３０がスリーブ１から実質的に分離することを、ユーザは回避できる。側方延在部４０は、スライドの固定部３４から延びるアンカを形成する。ユーザが所望の薬剤４４を取り出すと、スライド３０はスリーブ１の中へ押し戻され、弾性フラップ２４は、ショルダ部２０近傍に先端部が位置する固定位置へスライド３０を戻すように付勢する。
【００３５】
図３に示すように、スライド３０の薬剤領域３６は、スライド３０の構造上の剛性を増すための２つの厚紙５０，５２のシートの間に実質的に閉じこめられた（ｅｎｃａｐｓｕｌａｔｅｄ）ブリスター・シート４８を備える。
【００３６】
内部容積１２内のスライドとフラップとの配置を、図４により分かり易く示す。
【００３７】
図５及び６において、前図に示すスリーブ又はスライドと同様の要素には、１００だけ増やした参照符号を付す。これらの要素の詳細をここでは説明しない。
【００３８】
図５は、第２薬剤包装のスリーブ１０１の概観図を示す。
【００３９】
この場合、スライド開口１１４はスリーブ１０１の一端に配置されるが、ショルダ部１２０は主面１０２の副端部に沿って延在するのではなく、ショルダ部１２０は、主面の間に延在して、側壁１０６の一部を形成する。ショルダ部１２０は、主面１０２，１０４の主端部５０の近傍に配置される。
【００４０】
スリーブは、主端部５０の近傍の主面１０２を通って、側壁１０６へ延びる切り欠き５２を含む。切り欠きによって、ユーザは内部容積１１２にアクセスすることができる。
【００４１】
付勢手段１２４は、前の形態と同様にフラップによって形成されるが、付勢手段は、主端部５０に対向する主面の副端部５４に沿って延在する側壁の一部に配置される。フラップ１２４は、側壁１０６から離れて、内部容積内の主端部５０の方向へ延びるように、弾性的に付勢されている。このようにして、内部容積内に配置されるスライドは、主端部５０の方へ、そして、ショルダ部１２０によってスライド軸１４６の方向へのスライド１３０の移動が実質的に制限される固定位置へ、弾性的に付勢される。
【００４２】
図５は、付勢手段１２４のような他の付勢手段と組み合わせて、又はその代わりに使用される付勢手段１２４’の他の実施の形態をも示す。付勢手段１２４’は、弾性的に変形可能なプラスチック材料を用いて製造され、この場合、端部がスリーブの内面に取り付けられ、中心部が内部容積の中へ突き出す橋構造に形成される。代わりに、本形態の付勢手段は、厚紙又はカートン用板紙を用いて作られてもよく、橋形状、フラップ形状その他の形状であってもよい。
【００４３】
図６は、図５のスリーブ１０１を使用するスライド１３０を示す。スライド１３０は、一方だけの片側延在部１４０を含み、片側延在部１４０は、この場合、スリーブ１０１がスライド１３０から分離しないように、ショルダ部１２０と協働する。
【００４４】
これまで、本発明について単なる例示によって説明しており、特許請求の範囲に記載の範囲内で細部の改良がなされ得ることは理解されるべきである。
【図１】
2010512881.tif 000003
【図２】
2010512881.tif 000004
【図３】
2010512881.tif 000005
【図４】
2010512881.tif 000006
【図５】
2010512881.tif 000007
【図６】
2010512881.tif 000008
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
薬剤のための包装であって、
前記包装は、スリーブとスライドとを備え、
前記スライドは、薬剤を収容するための薬剤領域を有し、
前記スリーブは、内部容積を形成する側壁によって接続されるとともに離隔した、対向する第１及び第２主面を有し、
前記側壁は、さらに、スライド開口を形成し、
前記スライドは、前記薬剤領域が実質的に前記内部容積内に存在する位置と、前記薬剤領域の少なくとも一部が前記スライド開口を介して前記内部容積外に延在する位置との間でスライド軸に平行な方向に移動するものであり、
前記スリーブは、ショルダ部を含み、
前記包装は、付勢手段を含み、
前記スリーブ及びスライドは、前記スライドの一部と前記ショルダ部とが接触することによって前記スライドがスライド軸に平行な方向に実質的に移動することが妨げられる固定位置と、前記スライド開口を通って前記スライド部分が前記スライド軸に平行な方向に移動できる非固定位置との間で、前記内部容積内を移動できるように設けられ、
前記付勢手段は、前記スライドを前記固定位置へ向けて弾性的に付勢する
ことを特徴とする包装。
【請求項２】
前記付勢手段は、前記スリーブと同じ材料を用いて製造される
ことを特徴とする請求項１に記載の包装。
【請求項３】
前記スライドは、複数の個別的で破壊可能な薬剤収容ブリスターを含む
ことを特徴とする請求項１に記載の包装。
【請求項４】
前記付勢手段は、前記スライド軸に実質的に直角な方向に前記スライドを付勢する
ことを特徴とする請求項１に記載の包装。
【請求項５】
前記スリーブは、ユーザが直接的に前記スライドに接触することができ、かつ、前記スライドを前記固定位置から前記非固定位置へ移動させる力を加えることができるように、少なくとも１つの切り欠きを含む
ことを特徴とする請求項１に記載の包装。
【請求項６】
前記スリーブは、少なくとも２つの切り欠きを含む
ことを特徴とする請求項５に記載の包装。
【請求項７】
前記スライドは、前記スライドが前記スリーブから分離することを実質的に防ぐために、前記スリーブと協働するアンカを含む
ことを特徴とする請求項１に記載の包装。
【請求項８】
前記スライドは、前記スライドを容易に把持できるように、先端部から延びるエクステンション部を含む
ことを特徴とする請求項１に記載の包装。
【請求項９】
前記スリーブは、実質的に厚紙を用いて製造される
ことを特徴とする請求項１に記載の包装。
【請求項１０】
薬剤の包装に使用するためのスリーブに折り畳むための厚紙であって、
前記包装は実質的に請求項１に記載のものであることを特徴とする厚紙。
【請求項１１】
薬剤包装を開放するための方法であって、
前記薬剤包装は、スリーブとスライドとを備え、
前記スライドは、前記スリーブ内に適合して、スライド開口を介して前記スリーブから取り出すことができ、
前記スリーブ及びスライドは、前記スライドが固定位置と非固定位置との間で前記スリーブ内を移動可能であるように設けられ、前記スライドは前記固定位置の方向へ付勢されており、
前記方法は、
ａ．ユーザが一方の手を用いて、非固定位置へスライドを移動させるためにスライドに力を加えて、スライドを非固定位置に保持するステップと、
ｂ．ユーザが他方の手を用いて、スライド開口を介してスライドの少なくとも一部を移動させて、取り出す力をスライドに加えるステップとを含む
ことを特徴とする方法。
【国際調査報告】
2010512881.tif 000009
2010512881.tif 000010